(57)【要約】【課題】キャップ及び戸当たり部材の製造コストの低減、統一性ある美観の付加を可能にすることができる門装置を提供する。【解決手段】門柱Ｐ２に取り付けられる戸当たり部材４の横断面形状を門扉Ｄ３の戸先側縦框１の戸先側端部の横断面形状と同一にし、戸先側縦框の上、下端面の戸先側端部には戸当たり部材の横断面形状とほぼ同一の平面形状を有するキャップ８を、戸先側縦框の上、下端面の前記戸先側端部以外の残余部分には、その残余部分の横断面形状とほぼ同一の平面形状を有する第２キャップ又はその残余部分から上下の横框の上面に沿って連続するカバー材を装着し、戸当たり部材の上下端面にはキャップと同一形状の他のキャップ８を装着した。【選択図】  図６
2008184835.tif 000002
【特許請求の範囲】
【請求項１】
左右の門柱のうち、一方の門柱に門扉を取り付け、他方の門柱に前記門扉が閉められたときに受け止める戸当たり部材を取り付けてある門装置において、
前記戸当たり部材の横断面形状を前記門扉の戸先側縦框の戸先側端部の横断面形状と同一にし、
前記戸当たり部材の上、下端面にキャップを装着し、
前記戸先側縦框の上、下端面の前記戸先側端部には、前記戸当たり部材のキャップとほぼ同一の平面形状を有するキャップを装着し、
前記戸先側縦框の上、下端面の前記戸先側端部以外の残余部分には、その残余部分又はその残余部分から上下の横框の上面に沿って連続して被覆するカバー材を装着したことを特徴とする門装置。
【請求項２】
戸当たり部材は、門柱に固着される戸当たり部材本体と、これに取付けられる係止部材とからなり、
前記戸当たり部材本体は、横断面形状が凸字形状の基部と、その基部の先端面に設けられた係止部材取付部と、前記基部の正面及び背面に設けられた戸当たり部とを有し、
前記係止部材は、ほぼＬ字形に形成され、その一辺を前記基部の係止部材取付部に固着され、その他辺を前記基部の一方の戸当たり部と同一面に存在させてあり、
戸先側縦框は、戸先側端部が凸字形状に形成された基部と、その基部の先端面に設けられた係止部材取付部と、前記基部の正面及び背面に設けられた戸当たり部とを有して、前記係止部材と同一の係止部材が、その一辺を前記戸先側縦框の基部の係止部材取付部に固着され、その他辺を前記戸先側縦框の基部の一方の戸当たり部と同一面に存在させてあることを特徴とする請求項１に記載の門装置。
【請求項３】
キャップは、戸当たり部材の戸当たり部材本体の基部の長手方向端面を被覆する部分と、係止部材の長手方向端面を被覆する部分と前記戸当たり部材本体と前記係止部材とを接続するねじにより前記戸当たり部材取付部に固着される固着片とを一体に有するものであることを特徴とする請求項２に記載の門装置。
【発明の詳細な説明】
【技術分野】
【０００１】
本発明は、例えば、通用門などのように、左右の門柱のうち、一方の門柱に門扉を取り付け、他方の門柱に前記門扉が閉められたときに、これを受け止める戸当たり部材を取り付けてある門装置に関する。
【背景技術】
【０００２】
左右の門柱の間に門扉を１つのみ設置する場合は、一方の門柱に門扉をヒンジなどで回動自在に支持し、他方の門柱には、閉鎖される門扉の戸先側端部を受け止める戸当たり部材が取り付けられる。そして、門柱の製造コストの低減及び門扉開放勝手の左右自由選択のため、戸当たり部材は門柱とは別体に作られ、施工現場で左右勝手のいずれかに応じて、門柱に対する取り付け位置が決定される。そして、金属製門扉においては、両側の縦框は形材から形成されるため、その上、下端面の切断面を被覆するキャップが装着される。また、戸当たり部材も、金属製形材から形成されるため、同様に上、下端面の切断面を被覆するキャップが装着される。
【特許文献１】特になし
【発明の開示】
【発明が解決しようとする課題】
【０００３】
しかし、従来、門扉の縦框の上、下端部に装着されるキャップは、縦框の上、下端面の全面を被覆するため、大型であった。また、従来の門装置において用いられてきた戸当たり部材は、門柱に取り付けることができ、閉鎖される門扉の戸先側縦框を止める機能を有していれば良く、門扉の他の要素との関係を配慮する必要は無いと考えられてきた。そのため、従来の戸当たり部材は、門扉の外観形状とは無関係の形状を有していたので、戸当たり部材用キャップは門扉用キャップとは大きさと形状が全く異なるものであった。
【０００４】
従って、従来の相互関連性を持たない戸当たり部材、戸当たり部材用キャップ及び門扉用キャップは、門装置の製品価格を上げる原因になるばかりでなく、戸当たり部材と門扉の外観には美的統一性が無かった。そのため、製造コストの低減が可能で、門扉に統一性のある美観を付加することができる戸当たり部材が求められていた。
【０００５】
本発明は、上記の点に鑑みてなされたものであり、解決しようとする課題は、キャップ及び戸当たり部材の製造コストの低減、統一性ある美観の付加を可能にすることができる門装置を提供することにある。
【課題を解決するための手段】
【０００６】
上記課題を解決するため、本発明は、左右の門柱のうち、一方の門柱に門扉を取り付け、他方の門柱に門扉が閉められたときに受け止める戸当たり部材を取り付けてある門装置において、（ａ）戸当たり部材の横断面形状を前記門扉の戸先側縦框の戸先側端部の横断面形状と同一にし、（ｂ）戸当たり部材の上、下端面にキャップを装着し、（ｃ）戸先側縦框の上、下端面の戸先側端部には、前記戸当たり部材のキャップとほぼ同一の平面形状を有するキャップを装着し、（ｄ）戸先側縦框の上、下端面の戸先側端部以外の残余部分には、その残余部分又はその残余部分から上下の横框の上面に沿って連続して被覆するカバー材を装着したことを特徴としている（請求項１）。
【０００７】
そして、（１）戸当たり部材は、門柱に固着される戸当たり部材本体と、これに取付けられる係止部材とからなり、戸当たり部材本体は、横断面形状が凸字形状の基部と、その基部の先端面に設けられた係止部材取付部と、基部の正面及び背面に設けられた戸当たり部とを有し、（２）係止部材は、ほぼＬ字形に形成され、その一辺を前記基部の係止部材取付部に固着され、その他辺を前記基部の一方の戸当たり部と同一面に存在させてあり、（３）戸先側縦框は、戸先側端部が凸字形状に形成された基部と、その基部の先端面に設けられた係止部材取付部と、前記基部の正面及び背面に設けられた戸当たり部とを有して、前記係止部材と同一の係止部材が、その一辺を戸先側縦框の基部の係止部材取付部に固着され、その他辺を戸先側縦框の基部の一方の戸当たり部と同一面に存在させてあることを特徴としている（請求項２）。
【０００８】
また、キャップは、戸当たり部材の戸当たり部材本体の基部の長手方向端面を被覆する部分と、係止部材の長手方向端面を被覆する部分と、戸当たり部材本体と係止部材とを接続するねじにより前記戸当たり部材取付部に固着される固着片とを一体に有するものであることを特徴としている（請求項３）。
【発明の効果】
【０００９】
請求項１の発明によれば、戸当たり部材と門扉の戸先側縦框には同一形状のキャップを装着することができる。従って、製造コストの低減が可能であり、部品管理及び施工が容易である。また、戸当たり部材と門扉の戸先側縦框は、統一的な美観を備える。
【００１０】
請求項２の発明によれば、戸当たり部材本体に対する係止部材の接続と、門扉の戸先側縦框の戸先側端部に対する係止部材の接続とを、同じ固定装置及び接続装置を用いて行うことができる。従って、組立コストも低減される。また、戸当たり部材の係止部材と門扉の戸先側縦框の係止部材が反転対称形に配置されるため、門扉閉鎖状態において、両方の係止部材が門扉の戸先側端部から戸当たり部材まで一体的に連続する外観を備えることができる。
【００１１】
請求項３の発明によれば、キャップの戸当たり部材及び門扉の戸先側縦框に対する取り付けが容易にできる。
【発明を実施するための最良の形態】
【００１２】
続いて、本発明の実施の形態について、図面に基づいて説明する。
図１は本発明を適用した門扉を備えた門の一例の正面図、図２は各門柱と門扉の位置関係を示す横断面図、図３は図２の円Ｘ部分の拡大図、図４は図３の中の一部分の分解図、図５はキャップの展開図、図６は戸当たり部材と門扉の戸先側縦框を引き離して示す平面図、図７は図６のＹ−Ｙ線断面図である。
【００１３】
図１において、Ｐ１，Ｐ２，Ｐ３は門柱である。門柱Ｐ１とＰ２の間に両開き門扉である受け扉Ｄ１と掛け扉Ｄ２が周知技術を用いて内開き式（家側に開く）に取り付けられて、車両用門を構成している。門柱Ｐ２とＰ３の間に片開き門扉である袖門扉Ｄ３が周知技術を用いて内開き式（家側に開く）に取り付けられて、通用門を構成している。
【００１４】
各扉Ｄ１，Ｄ２，Ｄ３は、従来と同様に、左右の縦框（１１，１１’；１２，１２’；１，１’）と上下の横框（１４，１４’。図６参照）を矩形に連結してなる枠体を有するとともに、その枠体に格子１５を取り付けて構成されている。
【００１５】
図示の例では、門柱Ｐ１とＰ３は同一の大きさであるのに対して、門柱Ｐ２は奥行き寸法の大きいものを使用し、かつ、図２に示すように、門柱Ｐ３が家側に寄った位置に立設されて、袖門扉Ｄ３が家側にセットバックされている。
【００１６】
本発明は、図１及び図２における袖門扉Ｄ３を有する通用門に適用されている。本発明は、図１，２に例示するような車両用門を有しない、左右の門柱Ｐ２，Ｐ３のみの間に１つの門扉が設置されている門にも適用可能であるが、以下には、図１の袖門扉（以下、門扉という。）Ｄ３を例に説明する。
【００１７】
図３及び図４に示すように、門扉Ｄ３の戸先側縦框１は、戸先側端部の横断面形状が凸字形に形成された基部２を有し、その基部の戸先側先端に係止部材取付部２ａを、その基部の正面及び背面に戸当り部２ｂを有している。係止部材取付部２ａの外側には凹部３が形成されている。そして、門柱Ｐ２の家側端部近傍の通用門側に、閉鎖された時の門扉Ｄ３を受け止めるための戸当たり部材４がねじｎ１などで固着されている。戸当たり部材４は、横断面形状が戸先側縦框の基部２の戸先側先端部とほぼ等しい凸字形に形成された基部４ａと、その基部の先端に設けられた係止部材取付部４ｂと、基部４ａの正面及び背面に戸当り部４ｃとを有している。係止部材取付部４ｂの先端に凹部５を有している。本発明は、戸当たり部材４が、戸先側縦框の基部２の戸先側部分とほぼ等しい横断面形状を有している点に１つの特徴を有する。
【００１８】
そして、戸先側縦框１の係止部材取付部４ｂと、戸当たり部材４の係止部材取付部２ａとに、係止部材７，７Ｅが固着されている。係止部材７，７Ｅは変形Ｌ字形に形成された１種類のものを反転して用いられている。Ｌ字の一辺７１の先端には緩衝材７３が嵌着されている。本発明は、戸先側縦框１と戸当たり部材４に、同一形状の係止部材７，７Ｅが付加されている点に、もう１つの特徴を有している。
このような係止部材は、門扉Ｄ３が内開きか、外開きかにより、緩衝材７３が嵌着されている一辺７１が戸先側縦框１と戸当たり部材４の家側と道路側のいずれに位置されるかが決定される。
【００１９】
図示の例は、内開き門扉であるため、戸先側縦框１の係止部材７は、係止部材の一辺７１の緩衝材７３が家側に、かつ、基部２の家側の面と同一面上に存在し、戸当たり部材４の係止部材７Ｅは、係止部材の一辺７１の緩衝材７３が道路側に、かつ、基部２の道路側の面と同一面上に存在するように、係止部材の緩衝材７３が嵌着されていない他辺７２を、それぞれ戸先側縦框１の先端の凹部３又は戸当たり部材４の凹部５に嵌合し、一辺７１の一部を戸先側縦框１の家側の戸当り部２ｂ又は戸当たり部材４の道路側の戸当り部４ｃに当接するなどして、安定させた状態でねじｎ２により固着されている。
【００２０】
この状態で、図示されていない錠装置のハンドルＨ１，Ｈ２を操作して門扉Ｄ３を閉めると、門扉の係止部材７の一辺７１が戸当たり部材４の家側の戸当り部４ｃに接近し、緩衝材７３がその戸当り部４ｃに当接し、同時に、戸当たり部材４の係止部材７Ｅの一辺７１が戸先側縦框１の戸当り部２ｂに接近し、緩衝材７３がその戸当り部２ｂに当接する。そのため、緩衝材７３による緩衝効果が発揮されるようになっている。
【００２１】
係止部材７，７Ｅが固着された状態で、戸当たり部材４と戸先側縦框１の基部２の戸先側端部は、ほぼ同一の断面形状と外観を備えている。
【００２２】
図６に示すように、戸当り部材４の上、下端面には、これを被覆するキャップ８が取り付けられている。キャップ８は、図５に示すように、戸当り部材４の横断面形状とほぼ同一形状を有する第１被覆部８１の先端部に、係止部材７のＬ字形とほぼ同一形状を有する第２被覆部８２を一体に接続してなっている。第１被覆部８１は水平方向の１方向と上方又は下方に開口する溝８３を有するドーム状に形成されている。第１被覆部８１と第２被覆部８２との境界部分に、第１被覆部８１の溝の上下開口方向に延びる固着片８４が設けられている。
【００２３】
キャップ８は、図６に示すように、縦框１の基部２の戸先側端部の上、下端面に装着することが望ましい。
図５の符号８５は戸先側縦框１の下端部に取り付けられるキャップ８Ａの第１被覆部８１に設けられる落とし棒Ｒ（図１参照）を貫通させるための孔である（戸当たり部材４の上、下端部に取り付けられるキャップ８は、落とし棒貫通用の孔８５を有しない。）。
【００２４】
上記キャップ８の戸当たり部材４及び縦框１に対する取付方法を、図６の戸先側縦框１の上端部に取り付ける場合を例に説明する。第１被覆部８１の溝８３の中に縦框１の基部２の戸先側端部を嵌合するとともに、第２被覆部を係止部材７の上端部に載せて、キャップ８により縦框１の戸先側端部の上端面及び係止部材７の上端面を被覆する。そして、係止部材７を縦框１１に取り付けるねじｎ２をキャップ８Ａの固着片８４までねじ込んで、キャップ８を固定する。本発明は、同一形状又はほぼ同一形状のキャップ８を戸当たり部材４及び縦框１に取り付ける点にもう１つの特徴を有する。
【００２５】
図７に示すように、門扉Ｄ３の上下の横框１４，１４’は、中空短冊状の横框本体１４ａの一端部にその横框本体の厚み方向両側に突出する突条１４ｂが設けられている。縦框１，１’の厚さ寸法は、外観統一のため、全て同一に設定されている。そして、横框本体１４ａの突条１４ｂの幅寸法は、各縦框の厚さ寸法と等しくされ、横框本体１４ａの厚さ寸法は、それらの縦框の厚さよりも小さくされている。
【００２６】
そして、後述されるカバー材の幅方向両側部分を嵌着するための手段の一例として、突条１４ｂの両端部付近における横框本体１４ａと反対側の位置に、片矢状の係止片１４ｃが設けられている。上下の横框１４，１４’は、同一部材を上下対称形に左右の縦框の間に配置され、長手方向両端部が補強板８を介して各縦框側からビスを横框本体１４ａに設けてあるビスホール１４ｄにねじ込むことにより、横框本体１４ａを縦框の厚さ方向中央に位置させて接続されている。
【００２７】
従って、横框本体１４ａの正面と各縦框の正面との間、及び横框本体１４ａの背面と各縦框の背面との間にそれぞれ段差が生じる。この段差を利用して、上側の横框１４の突条１４ｂから下側の横框１４’の突条１４ｂまで連続する格子１５を門扉に取り付けることを可能にしている。格子１５の長手方向両端部には、横框本体１４ａの輪郭形状と同一の形状を有する溝１５ａが形成されている。溝１５ａは、格子１５の長手方向端面と材軸に直角な方向に開口されている。従って、両側の溝１５ａに上下の横框１４，１４’を嵌合することにより、格子１５を装着することができる。
【００２８】
図７中、１６は上下の横框の上端部又は下端部に取り付けられるカバー材である。カバー材１６は、キャップ８の第１被覆部８１の断面形状と、これよりもやや小さな相似形に形成され、その開口面の至近位置の内側に、横框１４の係止突条１４ｂの両端部と係止片１４ｃとの間に係合して固定される突条１６ａが形成されている。
【００２９】
従って、上側の横框１４の突条１４ｂの上方からカバー材１６をその突条１４ｂに向けて押し付けることにより、カバー材１６の両側の突条１６ａを横框１４の両側の係止片１４ｃに強く嵌着して固定することができる。このとき、カバー材１６の両側壁の下端部は、横框１４の突条１４ｂよりも下方に突出するように構成されているので、横框に装着された格子１５の上端面と、突条１４ｂの下面との間の微小隙間（チリ）がそのカバー材１６の両側壁の下端部により隠蔽される。
【００３０】
カバー材１６は、門扉の上辺の両端部に取り付けられるキャップ８間の距離よりもわずかに大きい長さを有している。従って、上側の横框１４にカバー材１６を取り付けた後、上記キャップ８又は８Ａを取り付ける際は、そのカバー材１６の長手方向両端部をキャップ８の第１被覆部８１の溝８３に嵌合して、カバー材１６の長手方向両端部を被覆することができる。これにより、門扉の上辺両側のキャップとカバー材が見掛け上、一体に連続する外観を備えている。
【００３１】
下側の横框１４’に対しても、カバー材１６及びキャップ８，８Ａを同じ要領で取り付けることができ、門扉の下辺両側のキャップとカバー材が見掛け上、一体に連続する外観を備えている。
【００３２】
なお、縦框１の戸先側端部の上面は、キャップ８を用いずに、カバー材１６で被覆するようにしても良い。従って、縦框１の上下端面を被覆するキャップは、実質上、カバー材である。
【００３３】
以上のようにして、戸当たり部材４と、門扉Ｄ３の戸先側縦框１の戸先側端部は、それ自体の形状の共通性及び上下端部に同一形状のキャップ８が装着されているので、門扉Ｄ３が閉鎖されている状態では、図１に示すように、門扉Ｄ３から戸当たり部材４まで連続して見える。また、係止部材７，７Ｅ、キャップ８はそれぞれ同一部材であり、それらの戸当たり部材４及び縦框１に対する取付要領が同じであるので、部品管理及び組立が容易である。
【図面の簡単な説明】
【００３４】
【図１】本発明を適用した門扉を備えた門の一例の正面図。
【図２】各門柱と門扉の位置関係を示す横断面図。
【図３】図２の円Ｘ部分の拡大図。
【図４】図３の中の一部分の分解図。
【図５】キャップの展開図。
【図６】戸当たり部材と門扉の戸先側縦框を引き離して示す平面図。
【図７】図６のＹ−Ｙ線断面図。
【符号の説明】
【００３５】
Ｄ３        袖門扉
１，１’    縦框
１          戸先側手框
２          戸先側端部
４          戸当たり部材
７，７Ｅ    係止部材
８，８Ａ    キャップ
８１        第１被覆部
８２        第２被覆部
８４        固着片
１４，１４’横框
１５        格子
１６        カバー材
【図１】
2008184835.tif 000003
【図２】
2008184835.tif 000004
【図３】
2008184835.tif 000005
【図４】
2008184835.tif 000006
【図５】
2008184835.tif 000007
【図６】
2008184835.tif 000008
【図７】
2008184835.tif 000009